(57)【特許請求の範囲】
【請求項１】
処理対象水を流すための水路部と、
軸方向が前記水路部の幅方向に向くように配される回転軸、及び、前記回転軸に対してその軸方向に間隔をあけて設けられる複数枚のディスクを有し、前記水路部に対して前記回転軸を中心に回転自在に設けられるスクリーン本体と、
前記スクリーン本体に対して上流側に隣り合う前記水路部の上流側隣接領域に配され、前記上流側隣接領域を前記水路部の幅方向に並ぶ複数の分割領域に分割する分割部と、
を備え、
前記分割部のうち前記水路部の上流側に向く面が、上方に向かうにしたがってスクリーン本体側に傾斜する上流側傾斜面であるディスクスクリーン装置。
【請求項２】
前記分割部のうち前記水路部の幅方向に向く面が、上方に向かうにしたがって前記幅方向において前記分割部の内側に傾斜する側方傾斜面である請求項１に記載のディスクスクリーン装置。
【発明の詳細な説明】
【技術分野】
【０００１】
本発明は、ディスクスクリーン装置に関する。
【背景技術】
【０００２】
従来、下水道施設などには、例えば特許文献１のように、流れてくる処理対象水に含まれるし渣（比較的大きなゴミ）を捕捉して処理対象水から除去するためのディスクスクリーン装置が設けられている。ディスクスクリーン装置は、複数の円板状またはリング状のディスクを所定間隔で配列して円柱状の外観を有するスクリーン本体（ディスクスクリーン本体）を備える。スクリーン本体は、その軸線が水路の幅方向に向くように水路に配される。
【０００３】
この種のディスクスクリーン装置では、スクリーン本体が回転することで、処理対象水と共に水路の上流側から流れてくるし渣をスクリーン本体の外周部に付着させ、処理対象水から除去する。
特許文献１には、し渣がスクリーン本体の外周部に好適に付着するように、ディスクの外周面に、し渣を引っ掛けるための突起（し渣掻き揚げ用レーキ）を形成した構成が開示されている。
【先行技術文献】
【特許文献】
【０００４】
【特許文献１】特開２００８−３０３５４２号公報
【発明の概要】
【発明が解決しようとする課題】
【０００５】
しかしながら、上記従来のディスクスクリーン装置では、スクリーン本体の上流側における処理対象水の状態（例えば、処理対象水の（渦流などの）流れや、処理対象水の貯留状態（水位または水流））の影響を受けて、し渣がスクリーン本体に付着せずに上流側で滞留することがある。この場合、し渣が集積して大きな塊に成長しまう、という不具合が生じる。
特許文献１のディスクスクリーン装置では、ディスクの外周面に形成された突起（以下、レーキと呼ぶ）によって、上記したし渣の集積を抑制できるものの、し渣がレーキに絡みつく可能性がある。この場合、人力でし渣をスクリーン本体から取り除く必要がある。すなわち、ディスクスクリーン装置の取り扱いが面倒である。
【０００６】
本発明は、上記事情に鑑みてなされたものであり、スクリーン本体の上流側においてし渣が大きな塊に成長することを抑制でき、かつ、容易に取り扱うことが可能なディスクスクリーン装置を提供することを目的とする。
【課題を解決するための手段】
【０００７】
上記目的を達成するため、本発明に係るディスクスクリーン装置は、処理対象水を流すための水路部と、軸方向が前記水路部の幅方向に向くように配される回転軸、及び、前記回転軸に対してその軸方向に間隔をあけて設けられる複数枚のディスクを有し、前記水路部に対して前記回転軸を中心に回転自在に設けられるスクリーン本体と、前記スクリーン本体に対して上流側に隣り合う前記水路部の上流側隣接領域に配され、前記上流側隣接領域を前記水路部の幅方向に並ぶ複数の分割領域に分割する分割部と、を備え、前記分割部のうち前記水路部の上流側に向く面が、上方に向かうにしたがってスクリーン本体側に傾斜する上流側傾斜面であることを特徴とする。
【０００８】
上記のディスクスクリーン装置によれば、し渣が水路部の上流側隣接領域に滞留し集積しても、し渣は各分割領域に分けた状態で集積される。このため、し渣が上流側隣接領域において大きな塊に成長することを抑制できる。
また、特許文献１のディスクスクリーン装置のように、スクリーン本体にレーキを形成せずにし渣の成長を抑制できるため、し渣がスクリーン本体に絡みつくことも抑制できる。したがって、ディスクスクリーン装置を容易に取り扱うことができる。
【００１０】
また、前記ディスクスクリーン装置においては、前記分割部のうち前記水路部の幅方向に向く面が、上方に向かうにしたがって前記幅方向において前記分割部の内側に傾斜する側方傾斜面であってもよい。
【００１１】
上記のディスクスクリーン装置によれば、浮遊状態で上流側からスクリーン本体に向けて流れるし渣が、分割部の上流側傾斜面上や側方傾斜面上を通って、スクリーン本体の外周部のうち傾斜が緩やかな上部に到達しやすくなる。これによって、し渣がスクリーン本体の外周部に付着しやすくなる。すなわち、し渣が水路部の上流側隣接領域に滞留することを効果的に抑制できる。
【発明の効果】
【００１２】
本発明によれば、スクリーン本体の上流側においてし渣が大きな塊に成長することを抑制できる。また、ディスクスクリーン装置を容易に取り扱うことができる。
【図面の簡単な説明】
【００１３】
【図１】本発明の第一実施形態に係るディスクスクリーン装置の概略を示す側断面図である。
【図２】本発明の第一実施形態に係るディスクスクリーン装置の概略を示す上面図である。
【図３】図１，２のディスクスクリーン装置の変形例を示す上面図である。
【図４】図１，２のディスクスクリーン装置の分割部の変形例を示す上面図である。
【図５】本発明の第二実施形態に係るディスクスクリーン装置の概略を示す上面図である。
【図６】本発明の第三実施形態に係るディスクスクリーン装置の概略を示す側断面図である。
【図７】図６のディスクスクリーン装置の変形例を示す上面図である。
【発明を実施するための形態】
【００１４】
〔第一実施形態〕
以下、図１，２を参照して本発明の第一実施形態について説明する。
図１，２に示すように、本実施形態に係るディスクスクリーン装置１は、下水等の処理対象水Ｗに含まれるし渣を処理対象水Ｗから除去するものである。ディスクスクリーン装置１は、水路部２と、スクリーン本体３と、し渣剥離部４と、し渣回収部５と、分割部６と、を備える。
水路部２は、下水等の処理対象水Ｗを上流から下流に流すものである。本実施形態の水路部２は、外部から流入された処理対象水Ｗを貯留可能な流入槽１１と、流入槽１１から流出した処理対象水Ｗが流入する排水槽１２と、を備える。
【００１５】
流入槽１１は、平面視矩形の箱状に形成されている。流入槽１１は、その底面１３に沿う一方向（図１，２において左方向）に処理対象水Ｗが流れるように構成されている。流入槽１１の上流側端部（図１，２において右側の端部）には、処理対象水Ｗを外部から流入するための流入管１４が接続されている。流入槽１１の下流側端部（図１，２において左側の端部）には、流入槽１１の外側に開口する開口部１５が形成されている。
流入槽１１の底面１３は、例えば全体が平坦な基準底面１３Ａであってもよいが、本実施形態では、基準底面１３Ａと、流入槽１１の開口部１５近傍において基準底面１３Ａに対し開口部１５に近づくにしたがって上方（鉛直方向上側）に傾斜する傾斜底面１３Ｂと、を有する。
【００１６】
排水槽１２は、上方に開口する平面視矩形の箱状に形成されている。排水槽１２は、流入槽１１の開口部１５から下方（鉛直方向下側）に流れ落ちる処理対象水Ｗが排水槽１２内に流入するように、流入槽１１よりも下方に配される。排水槽１２は、少なくとも処理対象水Ｗが流入槽１１の開口部１５から流れ落ちる位置に配されればよい。すなわち、排水槽１２は、例えば流入槽１１の直下に配されなくてもよいが、本実施形態では、流入槽１１の直下まで延びて形成されている。
排水槽１２には、排水槽１２内に流入した処理対象水Ｗを外部に排出するための排水管１６が接続されている。
【００１７】
以下の説明では、上記した流入槽１１や排水槽１２を含む水路部２の深さ方向（鉛直方向）、及び、水路部２における処理対象水Ｗの流れ方向、に直交する方向を、水路部２（流入槽１１、排水槽１２）の幅方向と呼ぶ。水路部２の幅方向は、図２において上下方向に対応する。
【００１８】
スクリーン本体３は、処理対象水Ｗに含まれるし渣Ｒを捕捉するものであり、回転軸２１と、複数枚のディスク２２と、を備える。
回転軸２１は、その軸方向が水路部２の幅方向に向くように配され、水路部２に対して回転自在に取り付けられている。
【００１９】
複数枚のディスク２２は、回転軸２１に対してその軸方向に間隔をあけて配列され、回転軸２１に固定されている。図１に示すディスク２２は円形状に形成されているが、例えば円環状に形成されてもよい。ディスク２２は、その中心に回転軸２１が通るように回転軸２１に固定されている。複数のディスク２２は、同一形状かつ同等の大きさに形成されている。これにより、スクリーン本体３は、円柱状（又は円筒状）の外観を有する。
【００２０】
上記した構成のスクリーン本体３は、水路部２の流れ方向の中途部に配される。本実施形態において、スクリーン本体３は、流入槽１１の開口部１５に配され、排水槽１２の上方に位置する。これにより、流入槽１１の開口部１５から流出する処理対象水Ｗは、ディスク２２の間を通るようにスクリーン本体３を通過して排水槽１２に流入する。
【００２１】
本実施形態において、スクリーン本体３は、回転軸２１が流入槽１１の開口部１５の下端よりも低く位置するように配される。これにより、スクリーン本体３の外周部２３のうち流入槽１１の開口部１５の下端から上方に延びる部位（前面部位２５）は、流入槽１１の底面１３（基準底面１３Ａ）に対して垂直に立ち上がる、または、開口部１５から離れるように傾斜する。言い換えれば、スクリーン本体３の一部が流入槽１１の底面１３上に張り出すことはない。
【００２２】
スクリーン本体３は、モータ等の駆動源（不図示）によって回転駆動される。駆動源は、処理対象水Ｗの影響を受けないようにスクリーン本体３から離れて位置する。スクリーン本体３の回転軸２１は、ベルト等の伝達手段によって駆動源の回転軸に連結される。
スクリーン本体３は、その外周部２３のうち流入槽１１側（水路部２の上流側）に向く部位（前面部位２５）が上方に移動するように回転する。図１において、スクリーン本体３は反時計回りに回転する。これにより、処理対象水Ｗの通過に伴ってスクリーン本体３の外周部２３に付着したし渣Ｒを、流入槽１１における処理対象水Ｗの水面よりも上方に移動させることができる。すなわち、し渣Ｒを処理対象水Ｗから除去することができる。
【００２３】
し渣剥離部４は、スクリーン本体３の回転に伴ってスクリーン本体３の外周部２３に付着したし渣Ｒを外周部２３から剥離させるものである。し渣剥離部４は、スクリーン本体３の外周部２３の前面部位２５と反対側（図示例において左側）に向く外周部２３の背面部位２６に接触して配される。し渣剥離部４は、図１に例示するように複数のディスク２２の間に入り込む櫛歯状に形成されてもよいし、例えば単に複数のディスク２２の外周面に当接する楔形状に形成されてもよい。また、櫛歯状のし渣剥離部４であっても、例えば櫛歯のつけ根がディスク２２の外周面に当接するように形成されてもよい。
【００２４】
し渣回収部５は、し渣剥離部４によってスクリーン本体３の外周部２３から剥離したし渣Ｒを回収するものである。本実施形態において、し渣回収部５は、スクリーン本体３の背面部位２６側においてし渣剥離部４の下方に設置され、スクリーン本体３の外周部２３から剥離して落下するし渣Ｒを回収する。
し渣回収部５は、例えば上方に開口する箱であってもよいが、本実施形態では上下方向に延びる配管（シュート部）である。し渣回収部５の下端の開口から外部に出たし渣Ｒは、例えばし渣Ｒを脱水するし渣脱水機（不図示）等のし渣処理装置に投入される。
【００２５】
分割部６は、スクリーン本体３に対して上流側に隣り合う流入槽１１の上流側隣接領域ＣＬＡ（流入槽１１の開口部１５近傍の領域）に配される。分割部６は、流入槽１１の上流側隣接領域ＣＬＡを流入槽１１の幅方向に並ぶ複数の分割領域ＰＡに分割する。図１において、分割部６は流入槽１１の底面１３に固定されているが、少なくとも流入槽１１に固定されればよい。
本実施形態における分割部６は一つであるため、分割領域ＰＡの数は二つとなる。また、分割部６は流入槽１１の幅方向の中央に配されているため、流入槽１１の幅方向における二つの分割領域ＰＡの寸法（幅寸法）は互いに等しい。
【００２６】
分割部６は、例えば板状に形成されてもよいが、本実施形態ではブロック状に形成されている。
分割部６のうちスクリーン本体３の外周部２３に対向する面は、スクリーン本体３の外周部２３に沿う側面視円弧状の湾曲面３１となっている。分割部６の湾曲面３１は、スクリーン本体３の外周部２３に接触してもよいし、外周部２３に対して微小な隙間をあけて位置してもよい。この場合、分割部６の湾曲面３１との間に、処理対象水Ｗに含まれるし渣Ｒ等のゴミが入り込むことを抑制または防止できる。
【００２７】
また、分割部６のうち流入槽１１の上流側に向く面は、上方に向かうにしたがってスクリーン本体３側に傾斜する上流側傾斜面３２となっている。図示例の分割部６では、湾曲面３１と上流側傾斜面３２とは、これらの上端において直接つながってもよいが、図示例のように上方に向く平坦な上面３０を介してつながってもよい。
【００２８】
また、分割部６のうち流入槽１１（水路部２）の幅方向に向く面は、上方に向かうにしたがい、流入槽１１の幅方向において分割部６の内側に傾斜する側方傾斜面３３となっている。側方傾斜面３３は、流入槽１１の幅方向において分割部６の両側に形成されている。二つの側方傾斜面３３は、これらの上端において直接つながってもよいが、図示例のように上面３０を介してつながってもよい。
本実施形態において、上記した上流側傾斜面３２、側方傾斜面３３は、いずれも平坦な面に形成されている。また、上流側傾斜面３２と側方傾斜面３３との間には角部がある。このため、本実施形態では、分割部６の上面３０が平面視矩形状に形成されている。
【００２９】
また、本実施形態のディスクスクリーン装置１は、流入槽１１における処理対象水Ｗの水位が過剰に上昇しないように処理対象水Ｗを流入槽１１の外部に排出するオーバーフロー流路部１７も備える。オーバーフロー流路部１７は、流入槽１１の上部に開口する。図１において、オーバーフロー流路部１７は、流入槽１１に対してスクリーン本体３の上端よりも低い高さ位置に開口しているが、例えば、流入槽１１に対してスクリーン本体３の上端と同等の高さ位置に開口してもよい。
【００３０】
これにより、仮にスクリーン本体３の上流側（流入槽１１の開口部１５）にし渣Ｒが滞留することで流入槽１１における水位が上昇しても、流入槽１１中の処理対象水Ｗがオーバーフロー流路部１７を通じて流入槽１１の外部に排出される。このため、流入槽１１における処理対象水Ｗの水位がスクリーン本体３の上端を超えることを防止できる。これにより、流入槽１１中の処理対象水Ｗがし渣回収部５に流れ込むことを防止できる。
【００３１】
次に、本実施形態のディスクスクリーン装置１の動作について説明する。
ディスクスクリーン装置１では、スクリーン本体３が回転している状態において、処理対象水Ｗが、流入槽１１の流入管１４側から開口部１５に向けて流れ、スクリーン本体３を通過して排水槽１２に流れ落ちる。
【００３２】
流入槽１１の開口部１５に向けて流れる処理対象水Ｗにし渣Ｒが含まれる場合、し渣Ｒは、流入槽１１の上流側隣接領域ＣＬＡにおいていずれかの分割領域ＰＡに入り込み、回転するスクリーン本体３の外周部２３のうち流入槽１１側に向く前面部位２５に付着する。スクリーン本体３は、その前面部位２５が上方に移動するように回転するため、スクリーン本体３に付着したし渣Ｒは、処理対象水Ｗの水面よりも上方に移動し、処理対象水Ｗから分離される。その後、スクリーン本体３に付着したし渣Ｒは、スクリーン本体３の回転に伴って、スクリーン本体３の背面部位２６まで移動し、し渣剥離部４によってスクリーン本体３から剥離され、し渣回収部５内に落下する。
【００３３】
ところで、図１に例示するように、流入槽１１における処理対象水Ｗの水位が低い場合には、上流側から上流側隣接領域ＣＬＡに到達したし渣Ｒが、回転するスクリーン本体３の外周部２３に対してスリップ（滑り）を繰り返し、上流側隣接領域ＣＬＡにおいて滞留することがある。また、流入槽１１における処理対象水Ｗの水位が低いと、上流側隣接領域ＣＬＡにおいて、スクリーン本体３の回転に伴って、スクリーン本体３に接触したし渣がスクリーン本体３と逆向きに回転するため、上流側隣接領域ＣＬＡに滞留するし渣Ｒが絡み合ってロール状の塊に成長することがある。
ただし、本実施形態のディスクスクリーン装置１は分割部６を備えるため、上流側隣接領域ＣＬＡに滞留するし渣Ｒは、各分割領域ＰＡに分けた状態で集積される。このため、し渣Ｒが上流側隣接領域ＣＬＡにおいて大きな塊に成長することを抑制できる。
【００３４】
以上説明したように、本実施形態によれば、ディスクスクリーン装置１が分割部６を備えるため、スクリーン本体３の上流側においてし渣Ｒが大きな塊に成長することを抑制できる。以下、し渣Ｒの成長を抑制する利点について説明する。
【００３５】
例えば、し渣Ｒがスクリーン本体３の上流側において大きな塊（塊状し渣）に成長すると、スクリーン本体３の外周部２３に付着し難くなり、スクリーン本体３の上流側に滞留しやすくなるため、好ましくない。
また、し渣Ｒが塊状し渣となった状態でスクリーン本体３の外周部２３に付着した場合、塊状し渣が、し渣回収部５に回収された際に、し渣回収部５や、し渣回収部５の後段に設けられるし渣処理装置の投入口に残留し、これらし渣回収部５や投入口の詰まりを引き起こす可能性がある。
【００３６】
これに対し、本実施形態のディスクスクリーン装置１は、し渣Ｒが大きな塊に成長することを抑制するため、スクリーン本体３の上流側におけるし渣Ｒの滞留を効果的に抑えることができる。また、し渣Ｒによってし渣回収部５やし渣処理装置の投入口の詰まりも防ぐことができる。
【００３７】
また、本実施形態のディスクスクリーン装置１によれば、スクリーン本体３にレーキを形成しなくてもし渣Ｒの成長を抑制できるため、し渣がスクリーン本体３に絡みつくことも好適に抑制できる。したがって、ディスクスクリーン装置１を容易に取り扱うことができる。
【００３８】
また、本実施形態のディスクスクリーン装置１では、分割部６が上流側傾斜面３２を有する。このため、浮遊状態で上流側からスクリーン本体３に向けて流れるし渣Ｒが、図１，２において矢印Ｄ１で示すように、分割部６の上流側傾斜面３２上を通って、スクリーン本体３の外周部２３のうち傾斜が緩やかな上部に到達しやすくなる。これによって、し渣Ｒがスクリーン本体３の外周部２３に付着しやすくなる。すなわち、し渣Ｒが流入槽１１の上流側隣接領域ＣＬＡに滞留することを効果的に抑制できる。
【００３９】
また、本実施形態のディスクスクリーン装置１では、分割部６が側方傾斜面３３を有する。このため、浮遊状態で上流側からスクリーン本体３に向けて流れるし渣Ｒが、流入槽１１の上流側隣接領域ＣＬＡに到達した後、流入槽１１の幅方向に流れることで、図２において矢印Ｄ２で示すように、分割部６の側方傾斜面３３上を通って、スクリーン本体３の外周部２３のうち傾斜が緩やかな上部に到達しやすくなる。これによって、し渣Ｒがスクリーン本体３の外周部２３に付着しやすくなる。すなわち、し渣Ｒが流入槽１１の上流側隣接領域ＣＬＡに滞留することを効果的に抑制できる。
【００４０】
第一実施形態において、分割部６は、例えば図３に示すように、流入槽１１の上流側隣接領域ＣＬＡにおいて流入槽１１の幅方向に間隔をあけて配列されてもよい。この場合、複数の分割部６は、例えば複数の分割領域ＰＡの幅寸法が同等になるように配されてもよいが、これに限ることはない。複数の分割部６は、例えば、流入槽１１の幅方向の両端における分割領域ＰＡ（端部分割領域ＰＡ１）の幅寸法が、端部分割領域ＰＡよりも流入槽１１の幅方向の内側における分割領域ＰＡ（内側分割領域ＰＡ２）の幅寸法よりも小さくなるように、配列されてもよい。
【００４１】
第一実施形態において、分割部６の上流側傾斜面３２と側方傾斜面３３とは、滑らかに連なっていてもよい。具体的には、例えば、上流側傾斜面３２と側方傾斜面３３との間の角部が丸みを帯びてもよい。また、例えば図４に示すように、上流側傾斜面３２及びこれに隣り合う二つの側方傾斜面３３が、円錐面のような一つの曲面を成してもよい。図４に例示する構成において、分割部６の上面３０は平面視半円状に形成されている。
【００４２】
〔第二実施形態〕
次に、図５を参照して本発明に係るディスクスクリーン装置の第二実施形態について説明する。第二実施形態において、上記第一実施形態と共通する構成については図中に同符号を付してその説明を省略する。
【００４３】
図５に示すように、本実施形態のディスクスクリーン装置１Ａは、第一実施形態と同様の水路部２、スクリーン本体３、し渣剥離部４及びし渣回収部５を備える。その上で、本実施形態のディスクスクリーン装置１Ａは、一対の整流部７を備える。
一対の整流部７は、流入槽１１のうちスクリーン本体３の上流側に間隔をあけた上流側近傍領域ＮＡにおいて流入槽１１の幅方向の両端に配される。本実施形態において、流入槽１１の上流側近傍領域ＮＡは、流入槽１１の上流側端部及び下流側端部の両方に対して間隔をあけた領域を意味する。
一対の整流部７は、互いに流入槽１１の幅方向に間隔をあけて配されている。これにより、一対の整流部７は、上流側近傍領域ＮＡにおける流入槽１１の幅寸法を流入槽１１の他の領域（下流側端部の領域や上流側端部の領域）よりも狭める。
【００４４】
各整流部７は、例えば板状に形成されてもよいが、本実施形態ではブロック状に形成されている。
本実施形態において、各整流部７のうち流入槽１１の上流側端部に向く面（上流側面４１）は、流入槽１１の幅方向の両端から内側に向かうにしたがって、流入槽１１の下流側に傾斜している。また、各整流部７のうち流入槽１１の下流側端部に向く面（下流側面４２）は、流入槽１１の幅方向の両端から内側に向かうにしたがって、流入槽１１の上流側に傾斜している。図示例において、各整流部７は、上方から見た平面視で三角形状に形成されているが、例えば台形状などであってもよい。
【００４５】
次に、本実施形態のディスクスクリーン装置１Ａの作用について説明する。
流入槽１１（スクリーン本体３の上流側の領域）では、流入槽１１の幅方向両端部に沿ってスクリーン本体３の軸方向両端部に向かう処理対象水Ｗの流れ（端部流れＦ１）が強くなる場合がある。これに対し、本実施形態のディスクスクリーン装置１Ａでは、処理対象水Ｗの端部流れＦ１が整流部７によって妨げられる。すなわち、処理対象水Ｗの端部流れＦ１がスクリーン本体３の軸方向両端部に直接到達することを防止できる。これに伴い、流入槽１１のうちスクリーン本体３の上流側に隣り合う上流側隣接領域ＣＬＡ（スクリーン本体３と上流側近傍領域ＮＡとの間の領域）において、流入槽１１の幅方向両端から内側に向かう処理対象水Ｗの流れ（集積流れＦ２）を弱めることができる。これにより、し渣Ｒが上流側隣接領域ＣＬＡに滞留しても、上流側隣接領域ＣＬＡのうち流入槽１１の幅方向の中央の領域（中央領域）において集積することを抑制できる。
【００４６】
また、前述した処理対象水Ｗの集積流れＦ２に伴って、上流側隣接領域ＣＬＡのうち水路部２の幅方向の中央領域においてスクリーン本体３から上流側に剥離する処理対象水Ｗの流れ（剥離流れＦ３）も弱めることができる。このため、上流側隣接領域ＣＬＡの中央領域に滞留するし渣Ｒが、処理対象水Ｗの流れ剥離流れＦ３によってスクリーン本体３から離れることを抑制できる。その結果、中央領域に滞留するし渣Ｒが、スクリーン本体３に付着しやすくなり、中央領域に集積することを抑制できる。
【００４７】
以上のことから、本実施形態のディスクスクリーン装置１Ａによれば、整流部７を備えることで、し渣Ｒが上流側隣接領域ＣＬＡの中央領域において集積して大きな塊に成長することを効果的に抑制できる。
【００４８】
また、本実施形態のディスクスクリーン装置１Ａによれば、整流部７が上流側面４１や下流側面４２を有するため、整流部７を設けても流入槽１１の上流側端部から下流側端部（スクリーン本体３）に向かう処理対象水Ｗの流れに乱れが発生することを効果的に抑制することができる。
【００４９】
上記した第二実施形態の整流部７は、図１〜４に例示した第一実施形態やその変形例のディスクスクリーン装置にも適用可能である。この場合、整流部７は、例えば分割部６よりも水路部２の上流側に配されるとよい。
【００５０】
〔第三実施形態〕
次に、図６を参照して本発明に係るディスクスクリーン装置の第三実施形態について説明する。第三実施形態において、上記第一実施形態と共通する構成については図中に同符号を付してその説明を省略する。
【００５１】
図６に示すように、本実施形態のディスクスクリーン装置１Ｂは、第一実施形態と同様の水路部２、スクリーン本体３、し渣剥離部４及びし渣回収部５を備える。また、本実施形態の水路部２は、第一実施形態と同様の流入槽１１を備える。その上で、本実施形態では、流入槽１１の底面１３が、平坦な基準底面１３Ａと、基準底面１３Ａよりも上方に位置する上側底面１３Ｃと、を有する。
基準底面１３Ａは、スクリーン本体３の近傍に位置する。本実施形態では、底面１３が第一実施形態と同様の傾斜底面１３Ｂも有するため、基準底面１３Ａは傾斜底面１３Ｂに対して上流側に隣り合う領域に位置する。
【００５２】
上側底面１３Ｃは、基準底面１３Ａに対して上流側に隣り合う領域に位置する。本実施形態において、上側底面１３Ｃは流入槽１１の幅方向全体にわたって形成されている。また、本実施形態の上側底面１３Ｃは、基準底面１３Ａに平行する段差面として形成されている。上側底面１３Ｃは、例えば流入槽１１の底壁部によって形成されてもよいが、本実施形態では、流入槽１１の基準底面１３Ａに配される底部ブロック１８によって形成されている。
【００５３】
本実施形態のディスクスクリーン装置１Ｂによれば、流入槽１１のうち外部から流入した処理対象水Ｗが、図６において矢印Ｆ４で示すように、流入槽１１の上側底面１３Ｃ上から基準底面１３Ａ上に流れる際に、処理対象水Ｗの流れを加速させることができる。これにより、流入槽１１の基準底面１３Ａ上においてスクリーン本体３に向かう処理対象水Ｗの流れを強めることができる。その結果として、スクリーン本体３に隣り合う上流側隣接領域ＣＬＡでは、基準底面１３Ａ上からスクリーン本体３の外周部２３に沿って上方に向かう処理対象水Ｗの流れ（上昇流れＦ５）を強めることができる。
流入槽１１（特に上側底面１３Ｃ上）に滞留するし渣Ｒは、矢印Ｆ４で示す処理対象水Ｗの流れによって、スクリーン本体３の外周部２３の近傍まで誘導され、また、上流側隣接領域ＣＬＡにおいて処理対象水Ｗの上昇流れＦ５によって上昇する。このため、し渣Ｒが回転するスクリーン本体３の外周部２３に付着しやすくなる。したがって、流入槽１１内におけるし渣Ｒの滞留時間の短縮を図ることができ、これに伴って、し渣Ｒが流入槽１１内において大きな塊に成長することを抑制できる。
【００５４】
また、上記のディスクスクリーン装置１Ｂでは、流入槽１１の底面１３が上側底面１３Ｃを有さない場合と比較して、流入槽１１の容積が小さくなるため、流入槽１１における処理対象水Ｗの水位も上昇しやすくなる。水位が上昇すれば、し渣Ｒ（特に水面に浮遊するし渣Ｒ）がスクリーン本体３の外周部２３に付着しやすくなるため、し渣Ｒが流入槽１１内において大きな塊に成長することを抑制できる。
【００５５】
第三実施形態において、流入槽１１の上側底面１３Ｃは、例えば図７に示すように、流入槽１１の幅方向の両端部に配され、基準底面１３Ａが流入槽１１の幅方向において二つの上側底面１３Ｃの間に位置してもよい。
この場合には、流入槽１１の上側底面１３Ｃ上から基準底面１３Ａ上に向かう処理対象水Ｗの流れによって、図７において矢印Ｆ６で示すように、処理対象水Ｗが流入槽１１の幅方向の両端部から内側に向けて流れやすくなる。このため、流入槽１１の幅方向の両端部に沿ってスクリーン本体３の軸方向両端部に向かう処理対象水Ｗの端部流れＦ１（図５参照）を弱め、処理対象水Ｗの集積流れＦ２や剥離流れＦ３（図５参照）を弱めることができる。これにより、流入槽１１の上流側隣接領域ＣＬＡにおいて、し渣Ｒが集積して大きな塊に成長することを効果的に抑制できる。
【００５６】
また、流入槽１１の上側底面１３Ｃは、例えば図７に示すように、基準底面１３Ａに対して上方に傾斜する底部傾斜面１３Ｄを有してもよい。上側底面１３Ｃは、例えば底部傾斜面１３Ｄのみで構成されてもよいが、図７においては、底部傾斜面１３Ｄの上端に平坦な段差面１３Ｅをつなげて構成されている。
底部傾斜面１３Ｄの傾斜方向は、例えば、流入槽１１における処理対象水Ｗの流れ方向（図７において左方向）であってもよい。また、図７に示すように、上側底面１３Ｃが流入槽１１の幅方向の端部に配される場合、底部傾斜面１３Ｄの傾斜方向は、流入槽１１の幅方向の端部から中央に向かう方向であってもよい。
【００５７】
流入槽１１の上側底面１３Ｃが底部傾斜面１３Ｄを有する場合、流入槽１１の上側底面１３Ｃ上から基準底面１３Ａ上に向かう処理対象水Ｗの流れに、渦等の乱れが生じることを効果的に抑制できる。すなわち、処理対象水Ｗを、流入槽１１の上側底面１３Ｃ上から基準底面１３Ａ上に向けて滑らかに流すことができる。これにより、流入槽１１の基準底面１３Ａ上においてスクリーン本体３に向かう処理対象水Ｗの流れがさらに強まり、し渣Ｒがスクリーン本体３の外周部２３により付着しやすくなる。したがって、流入槽１１内におけるし渣Ｒの滞留時間の短縮をさらに図ることができ、これに伴って、し渣Ｒが流入槽１１内において大きな塊に成長することを効果的に抑制できる。
【００５８】
図６，７に例示した第三実施形態やその変形例の構成は、図１〜５に例示した第一、第二実施形態のディスクスクリーン装置にも適用可能である。
【００５９】
以上、本発明の詳細について説明したが、本発明は上述した実施形態に限定されるものではなく、本発明の趣旨を逸脱しない範囲において種々の変更を加えることができる。
【００６０】
例えば、水路部２は、直線状に延びる配管であってもよい。この場合、スクリーン本体３は、処理対象水Ｗの流れ方向に対応する配管の長手方向の中途部に配されればよい。
【符号の説明】
【００６１】
１，１Ａ，１Ｂ  ディスクスクリーン装置
２  水路部
３  スクリーン本体
６  分割部
７  整流部
１１  流入槽
１３  底面
１３Ａ  基準底面
１３Ｃ  上側底面
２１  回転軸
２２  ディスク
３２  上流側傾斜面
３３  側方傾斜面
ＣＬＡ  上流側隣接領域
ＮＡ  上流側近傍領域
ＰＡ  分割領域
Ｒ  し渣
Ｗ  処理対象水
【図１】
0006508528.tif 000002
【図２】
0006508528.tif 000003
【図３】
0006508528.tif 000004
【図４】
0006508528.tif 000005
【図５】
0006508528.tif 000006
【図６】
0006508528.tif 000007
【図７】
0006508528.tif 000008